(57)【特許請求の範囲】
【請求項１】
１つ以上のウォークイン部を有するハウジングを含み、各ウォークイン部はそれぞれ人間の排泄物及び／又は尿を入れる容器を有し、該ハウジングが、上記装置を、地中に少なくとも部分的に沈める手段を備える公衆衛生装置であって、
上記ハウジングは、地下に配置される第１のハウジング部と、伸縮式にスライド可能で上記第１のハウジング部内に受容可能な第２のハウジング部と、上記第２のハウジング部を地下と地上の位置の間で移動させる駆動装置とを含み、
上記１つ以上の容器は、上記第２のハウジング部内に配設され、下水設備に接続する為の排水管に接続されることを特徴とする装置。
【請求項２】
上記ハウジングは、１つ以上の更なるハウジング部を含み、上記１つ以上の更なるハウジング部は、上記第２のハウジング部内に受容可能であり、上記駆動装置は、上記ハウジング部を互いの中に伸縮式にスライドさせるように構成される、請求項１記載の公衆衛生装置。
【請求項３】
各ハウジング部の長さは、該ハウジング部がスライド可能に受容されるハウジング部の長さより短いか又は等しい請求項２記載の公衆衛生装置。
【請求項４】
屋根状の構成要素が設けられ、上記屋根状の構成要素は、上記衛生装置が収納された状態にあるときは閉鎖構成要素として機能する請求項１乃至３のうちいずれか一項記載の公衆衛生装置。
【請求項５】
上記ウォークイン部は、上記伸縮式にスライド可能なハウジング部の１つ以上のハウジング部における凹部により形成される請求項１乃至４のうちいずれか一項記載の公衆衛生装置。
【請求項６】
上記駆動装置は油圧式である請求項１乃至５のうちいずれか一項記載の公衆衛生装置。
【請求項７】
上記油圧式駆動装置は、伸縮式に互いにスライド可能な多数のロッド部を含むロッドを含む請求項６記載の公衆衛生装置。
【請求項８】
上記ロッド部の数及び長さは、上記ハウジング部の数及び長さに対応する請求項７記載の公衆衛生装置。
【請求項９】
上記ロッドは、上記衛生装置の略中心に配置される請求項７又は８記載の公衆衛生装置。
【請求項１０】
上記ウォークイン部は、閉じることが可能である、請求項１乃至９のうちいずれか一項記載の公衆衛生装置。
【発明の詳細な説明】
【０００１】
本発明は、公衆衛生装置に関わり、上記公衆衛生装置は、１つ以上のウォークイン部を有するハウジングを含み、各ウォークイン部はそれぞれ人間の排泄物及び／又は尿を入れるための容器を有し、これらの容器は、下水設備に接続する排水管に接続される。
【０００２】
このような衛生設備は実用化されている。これらは通常、特に大きな都市に依然とある程度残っている古い小便所である。これらの小便所は、あまり衛生的な状態ではないのでほとんど使用されない。
【０００３】
外出先にて用を足すことは、今日、特に、都市の娯楽街において対処しなければならない問題である。なぜなら、公衆衛生設備が不足しているからである。この問題は、これまで、移動式の衛生設備を配置することにより解決されてきた。これらの衛生設備は、金曜日の午後に配置され、土曜日の早朝に、店が始まるので再び撤去される。その衛生設備は土曜日の午後に再び配置され、日曜日に再び撤去される。この方法は、時間と費用がかかり、非常に非効率的である。序文に示すような公衆衛生装置は、ＣＨ６５８４９１から公知である。この公知の衛生装置は、２つ以上の水洗便所を有し、この装置は、軸周りに回転可能であり、それにより、１つの水洗便所が洗浄される間に、もう１つの水洗便所が利用可能となる。
【０００４】
本発明は、序文に記述したようなタイプの衛生装置の形であり、その装置を地中に少なくとも部分的に沈めることを可能にする手段がハウジングに設けられることを特徴とする解決策を提供することを目的とする。
【０００５】
この衛生装置は、例えば、買い物をしている一般人又は店主が迷惑しないよう日中は地面に沈められることが可能である。夜間には、要求に応じて使用できるよう配置される。尚、米国特許第４、１７４，５４６号は、支持部材に対し高さが調節可能な尿器を有する水洗便所を説明する。この公知の水洗便所は、埋没式のハウジングの一部を形成しないので、公衆における利用には適していない。
【０００６】
第１の好適な実施例では、ハウジングは、伸縮式で互いにスライド可能な多数のハウジング部と、伸縮式にスライド可能なハウジング部を動かす駆動装置とを含む。この衛生装置は部分的に伸縮式なので、地面下で最小の空間のみを占領し、従って、工事のために形成されることが必要なピットは比較的小さくて済む。
【０００７】
本発明のコンパクトな好適な実施例では、伸縮式のスライド可能なハウジング部は、地下に配置される第１のハウジング部と、第１のハウジング部に受容され地下と地上の位置の間でスライドする第２のハウジング部とを含む。より精巧な好適な実施例では、伸縮式のスライド可能なハウジング部は、１つ以上の更なるハウジング部を含み、これらは、互いにスライドして入るよう第２のハウジング部に受容される。衛生装置は、例えば、人の高さにまで伸ばすことが可能である。両方の実施例において、排水管を有する１つ以上の容器が、第２のハウジング部に配置されることが好適である。これにより、排水管を、弾力があることにより破損されにくい材料から具現化することが可能となる。
【０００８】
本実施例では、各ハウジング部の長さは、それがスライド可能に受容されるハウジング部の長さより短いか又は等しいことにより非常に空間が節約される。収納された状態では、衛生装置は完全に地中に沈められることが可能である。
【０００９】
更なる好適な実施例では、衛生装置には、屋根状の構成要素が設けられ、これは、衛生装置が収納された状態において閉鎖構成要素として機能する。この閉鎖素子は、例えば、マンホールの蓋の外観及び形状を有し、それにより、道路に目立たないように一体にされることが可能である。
【００１０】
伸縮式のスライド可能なハウジング部は、全体的に円筒状であることが好適である。この形状により、非常に耐性が強くなり、従って、破損しにくくなる。ウォークイン部は、第２のハウジング部及び更なるハウジング部に、凹部によって効率的な方法によって形成され、例えば、略半円形の形状を有する。凹部には、容器として尿器が配置される。別の実施例では、１つ以上のウォークイン部は開閉可能である。開閉可能なウォークイン部は、容器として尿器が設けられることが好適である。
【００１１】
更なる実施例では、駆動装置は油圧式である。油圧式駆動装置は、他の用途において実際に信頼度が高くパワフルであることが分かっている。油圧式駆動装置は、互いに対し伸縮式にスライド可能な多数のロッド部を含むロッドを含み、これにより、複数の伸縮式にスライド可能なハウジング部を有する衛生装置の好適な実施例に適用することが特に好適である。ロッド部の数及び長さは、ハウジング部の数及び長さに対応することが好適である。ロッドは、衛生装置の略中央において効率的に配置されることが可能である。
【００１２】
更なる好適な実施例において、衛生装置は、弾性排水管を含み、これは固定排水管を下水道に接続する。排水管に弾力があることにより、ハウジング部を互いにスライドする際に排水管の破損又は他の損傷を阻止することができる。本発明の精巧な好適な実施例では、第２のハウジング部の長さは、第１のハウジング部の長さよりも小さく、それにより、収納された状態では、第１のハウジング部と第２のハウジング部との間に弾性排水管を受容する空間が供給される。
【００１３】
破損に強い本発明の実施例では、本発明の衛生装置の有形の部品は、ステンレス材料から大体製造される。
【００１４】
衛生装置は更に選択的に、水を供給する配水管と配水管を水道に接続する接続手段が設けられることにより、容器に水が流される。
【００１５】
衛生装置は、３つのウォークイン部を有することが好適である。
【００１６】
本発明を、添付図面を参照しながらより詳細に説明する。
【００１７】
図１は、第１の好適な実施例である小便所１の形である本発明の衛生装置を示す。小便所１は、伸縮式で互いにスライド可能である４つのハウジング部２Ａ乃至２Ｄからなるハウジングを有する。図１には、これらは、伸ばされた位置に示す。ハウジング部２Ａ、即ち、第１のハウジング部は、この実施例では完全に地下に配置され、他のハウジング部は地下から地上位置に移動可能である。全てのハウジング部は全体的に円筒状である。小便所１は、丸い、好適には円形の屋根３が付けられる。
【００１８】
地上のハウジング部２Ｂ乃至２Ｄは、３つのウォークイン部４を含み、これらのウォークイン部は、半円形の凹部により形成される。
【００１９】
ハウジング部２Ｂ、即ち、第２のハウジング部の凹部４には、尿の容器、即ち、「尿器」５が配置され、これは、固定排水管６及び排水管９により下水設備に接続される。円筒状のハウジング２Ａ乃至２Ｄは、中央の油圧駆動式のロッド又はシリンダ７によって互いにスライド可能である。小便所１の収納及び伸張について、図２及び図３を参照しながらより詳細に説明する。
【００２０】
図２は、伸張された位置にある図１の小便所を示す長手方向の断面図であり、図３は、収納された位置にある図１の小便所を示す長手方向の断面図である。地面のレベル８を例示的に示す。
【００２１】
ロッド７は、４つの部分７Ａ乃至７Ｄからなる油圧式シリンダを含み、これらのロッド部は、関連付けられる円筒状ハウジング部２Ａ乃至２Ｄの長さと略対応し、それらを駆動させる。油圧技術において既知である様々な駆動装置を、油圧式シリンダ７に適用することが可能である。図示する好適な実施例では、駆動装置は、油圧油（図示せず）用のタンクに接続可能な油圧パイプ１１、１２を有する油圧式ポンプ１５により形成される。所望される場合には、油圧式ポンプは別個のユニット（図示せず）に収容されることが可能であり、その別個のユニットは地下にあっても地下になくてもよい。ローカルの商用電源に接続可能な電気ケーブル１３が、必要な電力を供給する。
【００２２】
小便所１は、上述したような油圧式駆動により、完全に伸張された位置（図２参照）と完全に収納された位置（図３参照）との間で移動可能である。
【００２３】
図示する好適な実施例では、各ハウジング部の高さは、当該のハウジング部が受容されるハウジング部の高さより小さいか又は等しい。この結果、小便所は、収納された状態では、地下に完全に受容されることが可能である。図示する好適な実施例では、ハウジング部２Ｄ及び２Ｃは同一の寸法を有する。ハウジング部２Ｄ及び２Ｃは共に、ハウジング部２Ｂより小さく、ハウジング部２Ｂはハウジング部２Ａより小さい。ハウジング２Ａとハウジング２Ｂの長さの差は、小便所が収納された位置では、固定排水管６を下水道１０に接続する排水管９のために十分な空間があるよう選択される。排水管９は、このために、弾力性のあるものとして具現化され、例えば、ストレッチされる又は巻かれることが可能である。
【００２４】
ロッド部７Ａ乃至７Ｄの寸法は、ハウジング２Ａ乃至２Ｄを、完全に伸張された位置から完全に収納された位置に、或いは、完全に収納された位置から完全に伸張された位置に移動させることができるよう選択される。
【００２５】
収納された位置では、屋根３が、小便所１の蓋を形成する。屋根３の円の形状を与えることにより、屋根は、マンホールの蓋のような外観を有し、従って、道路に目立たないように一体にされることが可能である。
【００２６】
図４は、小便所１の好適な実施例の断面図である。それぞれが半円形の形状である３つの凹部４を有する円筒の形状を選択することにより、小便所を頑丈且つ上品に構築することができる。
【００２７】
最後に、図５は、本発明の小便所の動作構成要素を示す。小便所１は、油圧パイプ１１、１２によって、油圧式ポンプ１５に接続される。この油圧式ポンプは、電気ケーブル１３によって電気スイッチ１６により動作可能である。スイッチ１６は、小便所１の付近に配置されることが好適であり、従って、操作者が、小便所を収納又は伸張する前に、特定の位置において周りの状況を完全に把握することができるようにされる。これは、周りの人にとって危険な状況となることを回避する。
【００２８】
配水管１４が更に選択的に設けられ、これは、尿器に流す水を供給するようローカルの水道水に接続される。尿器の洗浄は、例えば、時間制御機構により所定の、調節可能な時間が経過した後に自動的に行われることが可能である。
【００２９】
ウォークイン部には、照明が選択的に配置される。
【００３０】
尚、本発明は、上述した好適な実施例に制限されるものではないことは明らかである。例えば、ウォークイン部には、１つ以上の尿器ではなく、１つ以上の便器が配置されてもよい。その場合、ウォークイン部は、スライド式ドア又は他の好適な構成によって開閉可能であることが好適である。ウォークイン部の数は必要に応じて異なってよい。このことは小便所の形状にも言えることである。更に、ハウジング部を互いに対しスライドさせるために別個の駆動装置が考えられる。互いにスライド可能なハウジング部の数も、同様に異なってよい。例えば、小便所は、互いにスライド可能な２つのハウジング部から構成されてもよく、この場合、図示される好適な実施例では、ハウジング部２Ａ及びハウジング部２Ｂを選択することにより実現される。或いは、小便器は更に、１つの部分から構成されてもよく、そしてその全体が地下に沈められる。上述した可能な変形の全ては、当業者によって、本明細書を読んだ後に実施されることが可能である。
【００３１】
従って、本発明は概して、前述の説明及び図面を考慮しながら、特許請求の範囲内の任意の実施例に拡大適用される。
【図面の簡単な説明】
【図１】  小便所の形である本発明の衛生装置の第１の好適な実施例を示す図である。
【図２】  図１の小便所が伸張された位置にある長手方向の断面図である。
【図３】  図１の小便所が収納された位置にある長手方向の断面図である。
【図４】  図１の小便所を示す断面図である。
【図５】  本発明の小便所の動作構成要素を示す図である。
【図１】
0004527339.tif 000002
【図２】
0004527339.tif 000003
【図３】
0004527339.tif 000004
【図４】
0004527339.tif 000005
【図５】
0004527339.tif 000006